(57)【要約】      （修正有）【課題】中空結合単体のリブ板がケーブルセットを摩耗し、又は傷つけることを防止でき、ホコリと、原材料を除去しているときに発生する切り屑が、ケーブル保護チェーンの内部に侵入することを防止できるケーブル保護チェーンを提供する。【解決手段】第１中空固定単体１０と、第２中空固定単体１１と、第１エンド側は第１中空固定単体内に位置して固定され、第２エンド側は第２中空固定単体内に位置して固定される第１裏地Ｌ１と、第１裏地と対向するように上下に配置され、第３エンド側は第１中空固定単体内に位置して固定され、第４エンド側は第２中空固定単体内に位置して固定される第２裏地Ｌ２と、互いに直列接続されており、Ｍは整数であり、１個目は同時に第１中空固定単体と連接し、Ｍ個目は、更に、同時に第２中空固定単体と連接するＭ個の中空結合単体１２と、を備える。【選択図】図３Ａ
0003224080.tif 000002
【実用新案登録請求の範囲】
【請求項１】
第１中空固定単体と、
第２中空固定単体と、
第１エンド側は前記第１中空固定単体内に位置して固定され、第２エンド側は前記第２中空固定単体内に位置して固定される第１裏地と、
前記第１裏地と対向するように上下に配置され、第３エンド側は前記第１中空固定単体内に位置して固定され、第４エンド側は前記第２中空固定単体内に位置して固定される第２裏地と、
互いに直列接続されており、Ｍは整数であり、１個目は同時に前記第１中空固定単体と連接し、Ｍ個目は、更に、同時に前記第２中空固定単体と連接するＭ個の中空結合単体と、
を備える破損防止機能付きケーブル保護チェーンにおいて、
前記第１中空固定単体、前記Ｍ個の中空結合単体、及び前記第２中空固定単体から、少なくとも一つのケーブルセットを収容する前記ケーブル保護チェーンが構成され、前記第１裏地と前記第２裏地とは、前記第１中空固定単体、前記Ｍ個の中空結合単体、及び前記第２中空固定単体を挿通し、前記ケーブルセットを遮蔽して保護することを特徴とする破損防止機能付きケーブル保護チェーン。
【請求項２】
前記第１裏地と前記第２裏地とは、弾性および剛性を有する金属片であることを特徴とする、請求項１に記載の破損防止機能付きケーブル保護チェーン。
【考案の詳細な説明】
【技術分野】
【０００１】
本考案は、工作機械に関し、特に、工作機械に適用される破損防止機能付きケーブル保護チェーンに関するものである。
【背景技術】
【０００２】
図１は従来の工作機械を示す斜視図である。工作機械の作製および組立を行う機械エンジニアは、下記のことをよく知る。工作機械は、支持機構、送り機構、ガイド機構、駆動装置、及び主制御システムを備える。図１に示す従来の工作機械１’には、一セットの第１駆動装置１Ｙ’、一セットの第２駆動装置１Ｘ’、及び進給装置１Ｚ’が装備されている。特に、第１駆動装置１Ｙ’は、ケーブルセットを介して主制御システム（図示せず）と電気的に接続する。第２駆動装置１Ｘ’もケーブルセットを介して主制御システムと電気的に接続する。
【０００３】
中型および大型の工作機械１’は、図１に示すように、ケーブル保護チェーン（Ｃｈａｉｎ Ｃａｂｌｅ Ｃａｒｒｉｅｒ）１２’により、各ケーブルセットを収容して保護する。図２を参照する。図２は、ケーブル保護チェーンと第２ケーブルセットの組合せを示す斜視図である。ケーブル保護チェーン１２’は、図２に示すように、複数の中空なユニット１２１’を直列接続して構成される。ケーブルセット１Ｘ１’（すなわち、前記第２ケーブルセット）は、各ユニット１２１’を挿通することにより、ケーブル保護チェーン１２’の内部に収容されるようになる。詳細的には、各ユニット１２１’は、二つの側板１２１１’と、二つのリブ板１２１２’と、を備える。二つのリブ板１２１２’は、二つの側板１２１１’の上下側に設けられている。これにより、何れかの互いに隣接するユニット１２１’同士の間は中空口である。
【０００４】
使用者の実際の使用経験によれば、図１に示す工作機械１’の使用の過程中に、ホコリと、原材料を除去しているときに発生する屑が、前記中空口を経由してケーブル保護チェーン１２’に侵入する。そして前記屑が高温な鉄鋼屑である場合には、前記屑がケーブル保護チェーン１２’内に落下すると、ケーブルセット１Ｘ１’のケーブルのアウターシースが溶ける可能性は極めて高い。一方、駆動装置（１Ｙ’, １Ｘ’）がリニアガイドウェイ又は加工装置を駆動して移動するときに、ケーブル保護チェーン１２’の外形が繰り返してＬ字形→Ｕ字形→逆Ｌ字形を呈する。しかし、使用者の実際の使用経験によれば、ケーブル保護チェーン１２’が伸縮に移動して外形を変化する過程中に、各ユニット１２１’のリブ板１２１２’は、ケーブル保護チェーン１２’に収容されるケーブル１Ｘ１１’を摩耗し、又は傷つける。
【考案の概要】
【考案が解決しようとする課題】
【０００５】
本考案の主な目的は、第１中空固定単体と、第２中空固定単体と、第１裏地と、第２裏地と、互いに直列接続されたＭ個の中空結合単体と、を備え、互いに直列接続されたＭ個の中空結合単体から、少なくとも一つのケーブルセットを収容するケーブル保護チェーンの主体が構成され、第１裏地と第２裏地とは、ケーブル保護チェーンの主体を挿通し、そのエンド側が第１中空固定単体と第２中空固定単体とに固定されており、ケーブル保護チェーンの内部において、互いに対向するように上下に配置され、ケーブルセットを遮蔽して保護する破損防止機能付きケーブル保護チェーンを提供することにある。このような設計により、ケーブル保護チェーンが伸縮に移動している過程中に、第１裏地と第２裏地とにより、中空結合単体のリブ板がケーブルセットを摩耗し、又は傷つけることを防止できる。そしてホコリと、原材料を除去しているときに発生する切り屑とは、何れかの隣接する中空結合単体同士の間の隙間を経由してケーブル保護チェーンの内部に侵入することを防止できる。
【課題を解決するための手段】
【０００６】
本考案に係る破損防止機能付きケーブル保護チェーンによると、第１中空固定単体と、
第２中空固定単体と、
第１エンド側は第１中空固定単体内に位置して固定され、第２エンド側は第２中空固定単体内に位置して固定される第１裏地と、
第１裏地と対向するように上下に配置され、第３エンド側は第１中空固定単体内に位置して固定され、第４エンド側は第２中空固定単体内に位置して固定される第２裏地と、
互いに直列接続されており、Ｍは整数であり、１個目は同時に第１中空固定単体と連接し、Ｍ個目は、更に、同時に第２中空固定単体と連接するＭ個の中空結合単体と、
を備える破損防止機能付きケーブル保護チェーンにおいて、
第１中空固定単体、Ｍ個の中空結合単体、及び第２中空固定単体１１から、少なくとも一つのケーブルセットを収容するケーブル保護チェーンが構成され、第１裏地と第２裏地とは、第１中空固定単体、Ｍ個の中空結合単体、及び第２中空固定単体を挿通し、ケーブルセットを遮蔽して保護することを特徴とする。
【０００７】
本考案に係る破損防止機能付きケーブル保護チェーンによると、第１裏地と第２裏地とは、弾性および剛性を有する金属片であることを特徴とする。
【考案の効果】
【０００８】
本考案に係る破損防止機能付きケーブル保護チェーンによれば、次のような効果がある。
（１）ケーブル保護チェーンが伸縮に移動している過程中に、第１裏地と第２裏地とにより、中空結合単体のリブ板がケーブルセットを摩耗し、又は傷つけることを防止できる。
【０００９】
（２）ホコリと、原材料を除去しているときに発生する切り屑が、何れかの隣接する中空結合単体同士の間の隙間を経由してケーブル保護チェーンの内部に侵入することを防止できる。
【図面の簡単な説明】
【００１０】
【図１】従来の工作機械を示す斜視図である。
【図２】従来のケーブル保護チェーンと第２ケーブルセットの組合せを示す斜視図である。
【図３Ａ】本考案に係る破損防止機能付きケーブル保護チェーンを示す斜視図である。
【図３Ｂ】本考案に係る破損防止機能付きケーブル保護チェーンを別の視点から見た斜視図である。
【図４】第１中空固定単体、第２中空固定単体、第１裏地、及び第２裏地を示す斜視図である。
【図５】第１中空固定単体、第２中空固定単体、及び互いに直列接続されたＭ個の中空結合単体を示す斜視図である。
【考案を実施するための形態】
【００１１】
以下、本考案の実施の形態を図面に基づいて説明する。
【００１２】
図３Ａは本考案に係る破損防止機能付きケーブル保護チェーンを示す斜視図である。図３Ｂは本考案に係る破損防止機能付きケーブル保護チェーンを別の視点から見た斜視図である。本考案に係る破損防止機能付きケーブル保護チェーン１（以下、単に“ケーブル保護チェーン１”と称す）は、図３Ａ及び図３Ｂに示すように、第１中空固定単体１０と、第２中空固定単体１１と、第１裏地Ｌ１と、第２裏地Ｌ２と、互いに直列接続されたＭ個の中空結合単体１２と、を備える。
【００１３】
図４は、第１中空固定単体１０、第２中空固定単体１１、第１裏地Ｌ１、及び第２裏地Ｌ２を示す斜視図である。図５は、第１中空固定単体１０、第２中空固定単体１１、及び互いに直列接続されたＭ個の中空結合単体１２を示す斜視図である。本考案では、互いに直列接続されたＭ個の中空結合単体１２をケーブル保護チェーン１の主体とし、Ｍは整数であり、１個目の中空結合単体１２は、更に、同時に第１中空固定単体１０と連接し、Ｍ個目の中空結合単体１２は、更に、同時に第２中空固定単体１１と連接する。本考案の設計によれば、第１裏地Ｌ１の第１エンド側Ｌ１１は第１中空固定単体１０内に位置して固定され、且つ第２エンド側Ｌ１２は第２中空固定単体１１内に位置して固定される。一方、第２裏地Ｌ２と第１裏地Ｌ１とは、互いに対向するように上下に設けられている。第３エンド側Ｌ２１は、第１中空固定単体１０内に位置して固定される。第４エンド側Ｌ２２は、第２中空固定単体１１内に位置して固定される。
【００１４】
図３Ａ、図３Ｂ、図４及び図５を参照する。本考案では、第１中空固定単体１０、Ｍ個の中空結合単体１２、及び第２中空固定単体１１から、少なくとも一つのケーブルセット２を収容するためのケーブル保護チェーン１の主体が構成される。第１裏地Ｌ１と第２裏地Ｌ２とは、ケーブル保護チェーン１の主体を挿通する。これにより、ケーブルセット２を遮蔽して保護できる。本実施の形態では、第１裏地Ｌ１と第２裏地Ｌ２とは、弾性および剛性を同時に有する金属片である。そして記第１裏地Ｌ１と第２裏地Ｌ２とは、ステンレス製の板バネであることが好ましい。
【００１５】
本考案に係る破損防止機能付きケーブル保護チェーンによれば、第１中空固定単体１０、第２中空固定単体１１、第１裏地Ｌ１、第２裏地Ｌ２、及び互いに直列接続されたＭ個の中空結合単体１２から、破損防止機能付きケーブル保護チェーン１が構成され、互いに直列接続されたＭ個の中空結合単体１２は、ケーブル保護チェーン１の主体とされ、少なくとも一つのケーブルセット２を収容し、そして第１裏地Ｌ１と第２裏地Ｌ２とは、ケーブル保護チェーン１の主体を挿通し、ケーブル保護チェーン１において、互いに対向するように上下に配置され、この方式により、ケーブルセット２を遮蔽して保護する効果を有する。このような設計によれば、ケーブル保護チェーン１が伸縮に移動する過程中に、第１裏地Ｌ１と第２裏地Ｌ２とにより、各中空結合単体１２のリブ板がケーブル保護チェーン１に収容されるケーブルセット２を摩耗し、又は傷つけることを防止できると共に、ホコリと、原材料を除去しているときに発生する切り屑とが、何れかの隣接する中空結合単体１２同士の間の隙間を経由して、ケーブル保護チェーン１の内部に侵入することを防止できる。
【図１】
0003224080.tif 000003
【図２】
0003224080.tif 000004
【図３Ａ】
0003224080.tif 000005
【図３Ｂ】
0003224080.tif 000006
【図４】
0003224080.tif 000007
【図５】
0003224080.tif 000008